(57)【要約】【課題】高い意匠性を得ることができる壁飾りを提供する。【解決手段】額部３と、額部３内に納められた光源４と、光源４の前側に設けられた化粧部１０とを有する。化粧部１０を通して光源４で光を照射可能に形成する。化粧部１０を通した柔らかい光で照明することができる。【選択図】図１
2009181061.tif 000002
【特許請求の範囲】
【請求項１】
額部と、額部内に納められた光源と、光源の前側に設けられた化粧部とを有し、化粧部を通して光源で光を照射可能に形成して成ることを特徴とする壁飾り。
【請求項２】
額部と、額部内に納められた光源と、光源の前側に設けられた化粧部とを有し、額部と化粧部の周囲との間に隙間を形成し、隙間を通して光源で光を照射可能に形成して成ることを特徴とする壁飾り。
【請求項３】
化粧部に光透過性の照射孔を形成し、平面視で照射孔から見えない位置に光源を設けて成ることを特徴とする請求項１又は２に記載の壁飾り。
【発明の詳細な説明】
【技術分野】
【０００１】
本発明は、建物の外壁などに取り付けられる壁飾りに関するものである。
【背景技術】
【０００２】
従来より、発光ダイオード等の光源を利用した看板文字や図形が提案されている（例えば、特許文献１参照）。しかし、このような看板文字や図形ではその背面側の壁面が均一に照明されるだけであり、意匠性が低いという問題があった。
【特許文献１】特開２００１−０９２３９７号公報
【発明の開示】
【発明が解決しようとする課題】
【０００３】
本発明は上記の点に鑑みてなされたものであり、高い意匠性を得ることができる壁飾りを提供することを目的とするものである。
【課題を解決するための手段】
【０００４】
本発明の請求項１に係る壁飾りＡは、額部３と、額部３内に納められた光源４と、光源４の前側に設けられた化粧部１０とを有し、化粧部１０を通して光源４で光を照射可能に形成して成ることを特徴とするものである。
【０００５】
本発明の請求項２に係る壁飾りＡは、額部３と、額部３内に納められた光源４と、光源４の前側に設けられた化粧部１０とを有し、額部３と化粧部１０の周囲との間に隙間５を形成し、隙間５を通して光源４で光を照射可能に形成して成ることを特徴とするものである。
【０００６】
本発明の請求項３に係る壁飾りＡは、請求項１又は２において、化粧部１０に光透過性の照射孔６を形成し、平面視で照射孔６から見えない位置に光源４を設けて成ることを特徴とするものである。
【発明の効果】
【０００７】
請求項１の発明では、化粧部１０を通した柔らかい光で照らすことができ、意匠性を高めることができるものである。
【０００８】
請求項２の発明では、隙間５から光が漏れ出るようにして照らすことができ、意匠性を高めることができるものである。
【０００９】
請求項３の発明では、貫通孔６から光が漏れ出るようにして照らすことができ、意匠性を高めることができるものである。
【発明を実施するための最良の形態】
【００１０】
以下、本発明を実施するための最良の形態を説明する。
【００１１】
本発明の壁飾りＡは、額部３と光源４及び化粧部１０とを備えて形成されている。
【００１２】
額部３は四角枠状に形成されるものであって、セメントなどの無機質製品の廃材と自動車のバンパーなどの樹脂製品の廃材とを用いた成形品で形成することができ、例えば、特開２００６−１９９５６９号公報に記載されている化粧建材を用いることができる。額部３の背面には背面板１１が設けられており、これにより、額部３の背面開口が閉塞されている。また、額部３の内側において背面板１１の前面の略中央部には光源固定枠１２が設けられている。光源固定枠１２はアルミニウムなどの金属や樹脂などで四角枠状に形成されており、この周囲に複数の光源４が並べて設けられている。光源４としては発光ダイオード（ＬＥＤ）４を用いることができる。
【００１３】
化粧部１０は半透明や不透明の樹脂板などを用いて形成することができ、その表面には各種の図柄１０ａを設けることができる。そして、化粧部１０は光源固定枠１２の表面側に取り付けて形成することができる。このとき、化粧部１０の外周面と額部３の内周面との間には幅５〜１５ｍｍの隙間５を設けるようにしている。
【００１４】
そして、上記のように形成される壁飾りＡは建物の外壁等に取り付けられて使用されるものである。そして、光源４を点灯させると、額部３の内側に設けた光源４から隙間５の開口を通じて光Ｓを照射することができ、図２に示すように、隙間５の形状に沿ったロ字状の光Ｓで照明することができる。また、光源４は化粧部１０で覆われているため、直接光源４が見えないようにすることができる。さらに、本発明の壁飾りＡは、日中では化粧部（特に不透明のもの）１０の図柄や色彩などによる意匠効果を発揮するものであるが、夜間は化粧部１０の図柄や色彩がほとんど見えず、化粧部１０の輪郭（図１、２のものではロ字型）が光源４による照明で浮き上がって見えることによって意匠効果を発揮するものであり、単に、化粧部１０の図柄等を夜間も見せるように光源４で照らすものに比べて、意匠効果を著しく向上させることができるものである。
また、化粧部１０が透明又は半透明の場合は、隙間５の開口及び化粧部１０を通じて光Ｓを照射することができる。
【００１５】
図３に他の実施の形態を示す。この壁飾りＡは、額部３と光源４と背面板１１は上記と同様のものを用いることができる。
【００１６】
化粧部１０は上記と同様の半透明や不透明の樹脂板などを用いて形成することができるが、この化粧部１０には表裏に開口する複数の貫通孔６、６…が設けられている。貫通孔６は直径を例えば３〜１０ｍｍとすることができ、また、複数の貫通孔６、６…の配置位置は任意に設定することができる。また、化粧部１０は光源固定枠１２の表面側に取り付けて形成することができるが、化粧部１０の外周面と額部３の内周面との間には隙間を設けないようにする。
【００１７】
また、光源固定枠１２は上記と同様にアルミニウムなどの金属や樹脂などで四角枠状に形成されているが、光源固定枠１２は断面略コ字状に形成されており、そのコ字状の内側の空間を収納部１３として形成している。そして、この収納部１３に光源４を収納して保持している。その他の構成は上記と同様である。
【００１８】
そして、上記のように形成される壁飾りＡは建物の外壁等に取り付けられて使用されるものである。そして、光源４を点灯させると、額部３の内側に設けた光源４から照射孔６の開口を通じて光Ｓを照射することができ、図４に示すように、照射孔６の並べた形状に沿った光Ｓで照明することができる。また、光源４は収納部１３に収納すると共に化粧部１０で覆われて、照射孔６を通じて直接光源４が見えないようにすることができる。また、化粧部１０が透明又は半透明の場合は、照射孔６の開口及び化粧部１０を通じて光Ｓを照射することができる。
【図面の簡単な説明】
【００１９】
【図１】本発明の実施の形態の一例を示し、（ａ）は正面図、（ｂ）は（ａ）のＸ−Ｘ断面図、（ｃ）は枠部、光源固定枠等を示す正面図である。
【図２】同上の光源の点灯状態を示す概略図である。
【図３】本発明の実施の形態の一例を示し、（ａ）は正面図、（ｂ）は（ａ）のＸ−Ｘ断面図、（ｃ）は枠部、光源固定枠等を示す正面図である。
【図４】同上の光源の点灯状態を示す概略図である。
【符号の説明】
【００２０】
Ａ  壁飾り
３  額部
４  光源
５  隙間
６  照射孔
１０  化粧部
【図１】
2009181061.tif 000003
【図２】
2009181061.tif 000004
【図３】
2009181061.tif 000005
【図４】
2009181061.tif 000006